(57)【要約】【課題】  表裏両面及び外縁側と内縁側を反転して使用することが出来る快適快眠枕の提供。【解決手段】  枕の芯はクッション性に優れた材質で構成し、枕芯５は両側端部と滑らかな凹状に湾曲した外縁１に沿った外縁部９と滑らかな凹状に湾曲した内縁２に沿った内縁部１０を設け、該枕芯５の両面中央部には中央凹部６を設けると共に中央凹部６の両側には仕切り部１１，１１を間に介在して外側凹部を形成し、該外側凹部は仕切り部１２，１２を間に介在して外縁側外側凹部７，７と内縁側外側凹部８，８とに仕切っている。【選択図】    図２
2017131299.tif 000002
【特許請求の範囲】
【請求項１】
表裏両面及び外縁側と内縁側を反転して使用することが出来る枕において、該枕の芯はクッション性に優れた材質で構成し、枕芯は両側端部と滑らかな凹状に湾曲した外縁に沿った外縁部と滑らかな凹状に湾曲した内縁に沿った内縁部を設け、該枕芯の両面中央部には中央凹部を設けると共に中央凹部の両側には仕切り部を間に介在して外側凹部を形成し、該外側凹部は仕切り部を間に介在して外縁側外側凹部と内縁側外側凹部とに仕切ったことを特徴とする快適快眠枕。
【請求項２】
上記中央凹部は外縁側外側凹部及び内縁側外側凹部よりその大きさを大きくすると共に凹部の深さも大きくした請求項１記載の快適快眠枕。
【請求項３】
外縁側と内縁側を反転して使用することが出来る枕において、該枕の芯はクッション性に優れた材質で構成し、枕芯は両側端部と滑らかな凹状に湾曲した外縁に沿った外縁部と滑らかな凹状に湾曲した内縁に沿った内縁部を設け、該枕芯の表面中央部には中央凹部を設けると共に中央凹部の両側には仕切り部を間に介在して外側凹部を形成し、該外側凹部は仕切り部を間に介在して外縁側外側凹部と内縁側外側凹部とに仕切ったことを特徴とする快適快眠枕。
【請求項４】
上記中央凹部は外縁側外側凹部及び内縁側外側凹部よりその大きさを大きくすると共に凹部の深さも大きくした請求項３記載の快適快眠枕。
【請求項５】
上記外縁部と内縁部の厚さ寸法を異にした請求項１、請求項２、請求項３、又は請求項４記載の快適快眠枕。
【請求項６】
向きを変えることなく表裏を反転して使用することが出来る枕において、該枕の芯はクッション性に優れた材質で構成し、枕芯は両側端部と滑らかな凹状に湾曲した内縁に沿った内縁部を設け、該枕芯の表裏両面中央部には中央凹部を設けると共に中央凹部の両側には仕切り部を間に介在して外側凹部を形成したことを特徴とする快適快眠枕。
【請求項７】
向きを変えることなく表面のみを使用することが出来る枕において、該枕の芯はクッション性に優れた材質で構成し、枕芯は両側端部と滑らかな凹状に湾曲した内縁に沿った内縁部を設け、該枕芯の表面中央部には中央凹部を設けると共に中央凹部の両側には仕切り部を間に介在して外側凹部を形成したことを特徴とする快適快眠枕。
【請求項８】
上記中央凹部と外側凹部間に仕切り部を設けないで構成した請求項１、請求項２、請求項３、請求項４、請求項５、請求項６、又は請求項７記載の快適快眠枕。
【発明の詳細な説明】
【技術分野】
【０００１】
本発明はあらゆる人が首や肩への負担を少なくすることにより快適に眠ることが出来るように構成した枕に関するものである。
【背景技術】
【０００２】
枕にも色々なタイプが知られており、快眠することが出来るようにそれぞれに特徴を有している。図７（ａ）〜（ｄ）は代表的な従来の枕形態を示している。
（ａ）はドーナツタイプの枕を示しているが、このドーナツタイプの枕は、中心部に凹状の窪み（凹部）を有している。そこで、該ドーナツタイプの枕を使って眠る場合、仰臥時には頭部が中心の窪みに納まって安定するが、側臥時には側頭部が左右の丘陵部に乗り上がって安定性に欠けることになる。
【０００３】
（ｂ）はユニットタイプの枕を示しているが、素材や形状の違う複数のユニットを組み合わせて構成している。したがって、使用する人が使い易いように個々のユニットを選んで組み合わせることが可能である。ユニットタイプの枕はそれぞれの人の好みに合うように多くのパーツを準備しなくてはならない、その為にユニットタイプの枕はそのコストが高くなってしまう。
【０００４】
（ｃ）はウェーブタイプの枕であり、大きな山（大凸部）と小さい山（小凸部）が対をなして平行に形成されている。このウェーブタイプの枕は仰臥時には頸推に合わせて頭部をしっかりとサポートすることが出来る。
ただし、頸推のサポートには使用者の躯幹の厚み・頭の大きさに合ったウェーブが望ましいが、大きな山と小さい山のサイズが一定と成っている為に、使用者によってはこれらの大きな山と小さい山のウェーブが合わないこともある。
また、側臥時には仰臥時と比較すると、肩幅の影響で寝床面と頸推の高さが異なる為に、首や肩に負担が掛る点に問題がある。
【０００５】
（ｄ）は三日月型タイプの枕であり、仰臥時のみならず側臥時に首や肩への負担を比較的軽減して眠ることが出来る。
ただし、仰臥時及び側臥時において頭部を安定して支持することが出来ず、また側臥時には下に成る耳を圧迫してしまうといった問題がある。
【０００６】
ところで、快適に睡眠することが出来るように構成している枕に関しての出願も数多くなされている。
例えば、特開平１０−４３０２２号に係る「安眠枕」は、寝付きを良くすることと、快眠を長く継続することができるという二面性を持った枕である。
そこで、該安眠枕は凹状の保持枠体の両側面にゴム入り紐取付枠体を設け、この上端に架設したゴム入り紐の上に板状ゴム磁石を装着し全体をビニルネットで覆った構造としている。
【０００７】
特開２００２−６５４３２号に係る「枕」は、枕の高さと硬さを自己に慣れ親しんだ高さと硬さに調節して、快眠状態を保持できる枕である。
枕に頭部が載置される頭部座部とこの頭部座部に接して頭部が載置されない側縁部を設けたので、側縁部に包蔵されている充填物を頭部座部に寄せることにより、枕の高さを調節できるとともに枕の硬さをも調節することができ、その結果自己に適合した枕の高さと硬さを得ることができるので、快眠状態を保持することができる。
【特許文献１】特開平１０−４３０２２号に係る「安眠枕」
【特許文献２】特開２００２−６５４３２号に係る「枕」
【発明の開示】
【発明が解決しようとする課題】
【０００８】
前記図７（ａ）〜（ｄ）に示すように、枕にも色々な形態が存在し、これら枕にはそれぞれに特徴がある。しかし、快適な枕としては幾つもの問題も残されている。本発明が解決しようとする課題はこれら問題点であり、理想的な快適快眠枕を提供する。
【課題を解決するための手段】
【０００９】
本発明の快適快眠枕はクッション性に優れた樹脂から成る枕芯を有し、該枕芯はその厚みが均一でなく、枕として使用した際の頭上側（外縁部）と肩側（内縁部）とでの厚みを違わせている。また両側端部の厚みは大きくしている。そして、少なくとも肩側と成る内縁は凹状に湾曲した形状としている。そこで、該枕芯の平面形状は概略ツツミ型、又は概略三日月型とする。
上記枕芯は一般的に枕カバーをかけて枕として使用されるが、枕カバーを用いることなく枕芯そのものを枕として使うことも可能である。
【００１０】
枕芯にはその表面中央に中央凹部（窪み）を有し、そして中央凹部の左右両側には外側凹部を形成している。上記中央凹部は外側凹部に比較してその大きさは大きく、しかもより深く成っている。
そこで、仰臥時には後頭部が中央凹部に嵌って安定して支持され、側臥時には上記外側凹部に嵌る。側臥時での頭部は上記中央凹部と外側凹部との間に形成される仕切り部に当り、しかも側端部に形成している厚みに挟まれて安定する。
ただし、中央凹部と外側凹部間の仕切り部を設けないで連続した凹部とする場合もある。
【００１１】
ところで、本発明の快適快眠枕は大きく分けて次のタイプがある。
ａ．表裏を反転すると共に、外縁（頭上側）と内縁（肩側）を反転して使用できる型式。
ｂ．表面のみを使い、外縁と内縁を反転する型式。
ｃ．表裏を反転すると共に、内縁のみを使う型式。
ｄ．表面のみと内縁のみを使う型式。
【発明の効果】
【００１２】
本発明に係る快適快眠枕はその枕芯が上記のような形状をしている為に、すなわち、頭上側（外縁部）と肩側（内縁部）とでの厚みを違わせていることで、体型に応じて枕の向きを変えて使うことが出来、多くの使用者が頸推を安定してサポート出来る。
また、肩側縁（内縁）は凹状に湾曲した形状としていることで、側臥時にはやや顎を引いた姿勢においては下顎を支えることで首や肩への負担が軽減される。
枕の両側端部の厚み寸法を大きくしている為に、側臥時には頭部を高く保つことが出来ることで、脊柱が曲がることなく水平に維持することが可能となる。
【００１３】
一方、本発明の枕芯には複数の凹部を設けていて、これら凹部によって仰臥時のみならず側臥時においても頭部を安定して支持できる。
ａ．中央凹部（窪み）があることで、仰臥時に後頭部が嵌って安定する。
ｂ．中央凹部の両側に外側凹部を設けることで側臥時に耳への圧迫が軽減される。すなわち、仰臥状態から向きを変えて側臥状態になった場合、耳が外側凹部に嵌ることが出来る。
ｃ．中央凹部と外側凹部との間に形成される仕切りは、側臥状態になった場合に後頭部が該仕切りに当たって支えられ、そして頭上部は外縁側に左右に延びる外延部及び厚く成っている側端部にて安定して位置決めされる。
【図面の簡単な説明】
【００１４】
【図１】本発明に係る快適快眠枕を示す平面図と側面図。
【図２】本発明に係る快適快眠枕の枕芯を示す具体例。
【図３】図２に示す枕芯の各断面を示す断面図。
【図４】片面仕様の枕芯の各断面を示す断面図。
【図５】片面仕様の枕芯の垂直方向の各断面を示す断面図。
【図６】片側仕様の枕芯を示す具体例。
【図７】従来の代表的な枕を示す具体例。
【発明を実施するための形態】
【００１５】
図１は本発明に係る快適快眠枕の平面図と側面図を示す実施例であり、該快適快眠枕は同図に示すように、使用した際に外側（頭上側）に位置する外縁１及び内側（肩側）に位置する内縁２は直線ではなく滑らかな凹状に湾曲している。そして、表面３及び裏面４はほぼ平坦な面を有しており、上方から見える外観は概略ツツミ型の枕を形成している。すなわち、側端部の長さが中央部より大きく成っている。
【００１６】
ところで、該快適快眠枕を使うにあたって、その人の体形に合わせて外縁１を内側に配置し、内縁２を外側に配置する場合もあり、また表面３を下側に、裏面４を上側に配置することも出来る。
ところで、本発明に係る快適快眠枕は、枕カバーを装着した状態の表面３及び裏面４はほぼ平坦な面を形成しているが、該枕芯は凹凸面と成っていて、睡眠の姿勢が変わっても安定して頭部を支えることが出来るように構成している。
【００１７】
図２は枕芯５の平面図を示している。該枕芯５は軟質ウレタンフォームや発泡プラスチックなどで、クッション性に優れた材質を用いて成形され、所々に凹部を有している。すなわち、中央には太鼓形をした中央凹部６を有し、中央凹部６の外側（右側及び左側）には外縁側外側凹部７，７が形成され、また内縁側外側凹部８，８を設けている。
ここで、これら各凹部６，７，７，８，８、の底は平坦面と成っていて、凹部の大きさ及び形状は任意であり、また凹部の深さは限定しないが比較的浅く成っている。
ただし、中央凹部６は外縁側外側凹部７及び内縁側外側凹部８より大きくて深さも深く成っていて、外縁側外側凹部７は内縁側外側凹部８より大きく成っている。
【００１８】
図３は図２に示す枕芯５のそれぞれの位置における縦断面を示している。
（ａ）は図２のａ−ａ断面、（ｂ）は図２のｂ−ｂ断面、（ｃ）は図２のｃ−ｃ断面、（ｄ）は図２のｄ−ｄ断面、（ｅ）は図２のｅ−ｅ断面、（ｆ）は図２のｆ−ｆ断面、（ｇ）は図２のｇ−ｇ断面をそれぞれ表している。
（ａ）及び（ｇ）に枕芯５の左右側端部を示すように一定厚さを有し、枕芯５の中で厚さの大きい部位である。中央凹部６が位置する（ｄ）の位置では表面側と裏面側にそれぞれ中央凹部６ａ，６ｂが設けられている。
【００１９】
そして、外縁側には厚さを大きくした外縁部９と内縁側にも厚さを大きくした内縁部１０が形成されており、滑らかに湾曲した外縁部９は図２において外縁１に沿って左右に連続して延び、同じく滑らかに湾曲した内縁部１０は内縁２に沿って左右に連続して延びている。ここで、外縁部９の厚さと内縁部１０の厚さは一般に異なっている。
【００２０】
また、中央凹部６の左右に位置する断面を示す（ｃ）及び（ｅ）は仕切り部１１，１１を示している。該仕切り部１１は中央凹部６と外縁側外側凹部７及び内縁側外側凹部８との間に形成され、その為に、仕切り部１１は中央凹部６、外縁側外側凹部７、内縁側外側凹部８より厚く成っている。ただし、該仕切り部１１は外縁部９及び内縁部１０より薄く成っている。
【００２１】
そして、外縁側外側凹部７，７及び内縁側外側凹部８，８が位置する断面は（ｂ）及び（ｆ）に示している。外縁側外側凹部７，７及び内縁側外側凹部８，８は中央凹部６よりその厚さは大きく、しかし間に設けている仕切り部１１，１１より厚さは薄く成っている。また、外縁側外側凹部７と内縁側外側凹部８との間には仕切り部１２を設けている。
外縁側外側凹部７と内縁側外側凹部８の厚さは外縁部９及び内縁部１０より薄くなっている。ただし、外縁側外側部７及び内縁側外側部８の間の仕切り部１２の厚さは外縁部９及び内縁部１０と同じような厚さを有している。
【００２２】
このように、枕芯５の表面及び裏面にはそれぞれ中央凹部６を有し、中央凹部６の両外側には外縁側外側凹部７，７が形成され、また内縁側外側凹部８，８を設けている。しかし、表面と裏面とでは形成される凹部６，７，７，８，８の深さはそれぞれ違っている。  すなわち、枕は体形に合わせて表面３と裏面４を交換して使用することが出来るようにしている。
【００２３】
また、図２に示すように、枕芯５に形成している外縁側外側凹部７，７と内縁側外側凹部８，８とはその形状及び大きさを異にしている。すなわち、体形に応じて枕を使用する際に、外縁１と内縁２を反転する場合もあり、反転することで体形に合うように上記外縁側外側凹部７と内縁側外側凹部８の形状が違っている。また、中央凹部６の形状は中立軸Ｃに対して外縁側と内縁側を対称としていない。
【００２４】
ところで、上記図３に示す枕芯５の各断面図は本発明の快適快眠枕が表裏の両面使用であり、しかも外縁１と内縁２を反転して逆向きを可能とした両側仕様の場合の実施例である。本発明の枕は両面両側仕様に限るものではなく、片面仕様の場合もあり、図４は片面仕様であると共に両側仕様とした場合の枕芯５の各断面（ａ〜ｇ）を示している。
【００２５】
図４に示す枕芯１３では、外縁部１４の厚さは大きく、内縁部１５の厚さは比較的薄くなっている。そして、裏面は中央凹部１６を除いてほぼ平坦面と成っている。表面は前記図２に示す場合と同じように中央凹部１６、外縁側外側凹部１７，１７、内縁側外側凹部１８，１８がそれぞれ形成されている。
また、外縁側外側凹部１７，１７、内縁側外側凹部１８，１８の間には仕切り部１９，１９を突出して設けている。
【００２６】
図５は上記図４に示した方向とは垂直を成すＡ方向、Ｂ方向・・・の断面を示している。Ａ断面は外縁部１４であり、Ｅ断面は内縁部１５を示している。
上記外縁部１４は外縁１に沿って左右方向に連続して延び、内縁部１５は内縁２に沿って左右方向に連続して延びている。そして、外縁部１４の厚さは内縁部１５に比べて厚く成っている。
【００２７】
Ｂ断面において、側端部２０、外縁側外側凹部１７、仕切り部２１、中央凹部１６、仕切り部２１、外縁側外側凹部１７、側端部２０が表面に設けられ、また裏面中央には大きさを一回り小さくした中央凹部を設けている。
そして、Ｃ断面の位置には表面中央に中央凹部１６を設けているが、外縁側外側凹部１７と内縁側外側凹部１８との間に形成される仕切り部１９が側端部２０と連続して形成されている。
さらに、Ｄ断面の位置にはＢ断面の場合と同じように側端部２０、内縁側外側凹部１８、仕切り部２１、中央凹部１６、仕切り部２１、内縁側外側凹部１８、側端部２０が表面にそれぞれ設けられている。
【００２８】
図６は片側使用の枕芯２２を示す実施例である。片側使用である為に、外縁２３は滑らかな凸状に湾曲し、内縁２４は滑らかな凹状に湾曲している。そして中央には中央凹部２５を設け、該中央凹部２５の両側には外側凹部２６，２６を形成している。
ここで、表裏両面仕様とする場合には、枕芯２２の裏面にも形状を多少違わせて中央凹部、外側凹部をそれぞれ設けることが出来る。
【符号の説明】
【００２９】
１   外縁
２   内縁
３   表面
４   底面
５   枕芯
６   中央凹部
７   外縁側外側凹部
８   内縁側外側凹部
９   外縁部
10   内縁部
11   仕切り部
12   仕切り部
13   枕芯
14   外縁部
15   内縁部
16   中央凹部
17   外縁側外側凹部
18   内縁側外側凹部
19   仕切り部
20   側端部
21   仕切り部
22   枕芯
23   外縁
24   内縁
25   中央凹部
26   外側凹部
【図１】
2017131299.tif 000003
【図２】
2017131299.tif 000004
【図３】
2017131299.tif 000005
【図４】
2017131299.tif 000006
【図５】
2017131299.tif 000007
【図６】
2017131299.tif 000008
【図７】
2017131299.tif 000009